(57)【要約】【課題】  可動部分と固定部分との関係を正確に位置づけるコネクターを提供する。【解決手段】可動接点ホルダー（２）と差錠（３）が、それぞれを固定接点ホルダー（１）の中に確実に同時に挿入するための連動手段と、接続段階の終了時には、慣性力により、コネクターのロックを確実に行うための連動解除手段とを有する。【選択図】図１
2007538362.tif 000002
【特許請求の範囲】
【請求項１】
固定接点ホルダー（１）と、可動接点ホルダー（２）と、差錠（３）とがある慣性ロック式自動心出しコネクターであり、可動接点ホルダー（２）と差錠（３）が可動接点ホルダー（２）と差錠（３）とを固定接点ホルダー（１）の中に確実に同時に挿入するための連動手段と、接続段階の終了時には、慣性力により、コネクターのロックを確実に行うための連動解除手段とを有することを特徴とする、慣性ロック式自動心出しコネクター。
【請求項２】
連動手段を構成するのは、可動接点ホルダー（２）のための蹴爪状突起（３１）と、差錠（３）のためのスリット（３８）であることを特徴とする、請求項１に記載のコネクター。
【請求項３】
蹴爪状突起（３１）の外表面は鈍角の二面体を成しており、その二面体を構成する二つの平面（３３、３４）は、挿入運動の間、それぞれ、固定接点ホルダー（１）の第四支持面（１７）とスリット（３８）と協働することにより、可動接点ホルダー（２）の横方向の動きと、差錠（３）と可動接点ホルダー（２）との連動解除が確実に行われるようにすることを特徴とする、請求項２に記載のコネクター。
【請求項４】
固定接点ホルダー（１）を構成するのは、固定電気接点をもつ基礎部分（４）と、内壁（７、８、９、１１）の縁（６）が内側に傾斜して可動接点ホルダー（２）の挿入を導くようになっている、ほぼ管状の上部分（５）であることを特徴とする、請求項１に記載のコネクター。
【請求項５】
固定接点ホルダー（１）の後部内壁（７）と前部内壁（１１）にはそれぞれ第一支持面（１０）と第二支持面（１２）とがあり、それにより、差錠（３）が接続段階で確実に導かれることを特徴とする、請求項４に記載のコネクター。
【請求項６】
固定接点ホルダー（１）の前部内壁（１１）には、可動接点ホルダー（２）の第一窪み（２６）と協働する第三支持面（１５）があり、それにより、可動接点ホルダー（２）の横方向の動きが確実に行えることを特徴とする、請求項４に記載のコネクター。
【請求項７】
固定接点ホルダー（１）の基礎部分（４）にある指状突起（１６）が、可動接点ホルダー（２）の第二窪み（２９）と協働することにより、可動接点ホルダー（２）の横方向の動きが確実に行えることを特徴とする、請求項４に記載のコネクター。
【請求項８】
可動接点ホルダー（２）にある肘の内側の窪み（２７）の中には、電気接点の為の分流器（２８）が設置されていることを特徴とする、請求項１に記載のコネクター。
【請求項９】
差錠（３）には、コネクターをロックする段階で分流器（２８）を電気接点から分離させるのに適した舌状突起（５５）があることを特徴とする、請求項８に記載のコネクター。
【請求項１０】
固定接点ホルダー（１）と、可動接点ホルダー（２）と、差錠（３）とがある電気コネクターを接続しロックする方法であり、以下の手順からなることを特徴とする方法。
・差錠（３）と可動接点ホルダー（２）とを連動し、それにより一つの組立部品を形成し、
・前記組立部品を軸方向の動きで固定接点ホルダー（１）の中に挿入し、
・機械的手段により、その軸方向の挿入の動きに、横方向の動きを重ね合わせて、接続表面を清掃し、
・その横方向の動きにより、差錠（３）と可動接点ホルダー（２）の連動解除を開始し、それにより、慣性力で、一方では、可動接点ホルダー（２）の接続が固定接点ホルダー（１）で確実に終了するようにし、他方では、差錠による軸方向の動きが確実に続行されるようにし、
・差錠を固定接点ホルダー（１）の上にラチェット機構で引っかけることにより、コネクターをロックする。
【請求項１１】
束となった２本の伝導体へ結合することへの、請求項１から９のいずれか一つに記載のコネクターの応用。
【請求項１２】
プリント回路に束となった伝導体を結合することへの、請求項１から９のいずれか一つに記載のコネクターの応用。
【発明の詳細な説明】
【技術分野】
【０００１】
本発明は、慣性によりロックされ、自動的に心出しが行われる慣性ロック式自動心出しコネクターに関するものである。
【背景技術】
【０００２】
このようなコネクターの用途として予想されるのは、束になった二本の伝導体同士を確実に繋ぎ合わせたり、プリント回路に束になった伝導体を結合することを確実に行ったりすることである。
【発明の開示】
【発明が解決しようとする課題】
【０００３】
解決すべき第一の技術的課題は、そのコネクターの可動部分と固定部分との関係を正確に位置づけることである。
【０００４】
このようなコネクターで問われる第二の技術的課題は、コネクターの各部分における表面が接続前には外気に触れるにも関わらず、電気接点の固定接点電極の表面の質を保たなければならないということである。
【０００５】
第三の技術的課題は、接続の時点で除去しなければならない分流器を用いた、コネクターの可動部分の接点を均一に分極させることに関するものである。
【０００６】
本発明の目的は、そのような問題の解決を簡単かつ効率的に行えるようなコネクターを提案することである。本発明のもう一つの目的は、接続操作完了時に事実上自動的に、そのコネクターを定位置にロックすることを確実に行うコネクターを提案することである。
【課題を解決するための手段】
【０００７】
本発明が対象とする慣性ロック式自動心出しコネクターは、固定接点ホルダーと、可動接点ホルダーと、差錠とがあり、可動接点ホルダーと差錠が、可動接点ホルダーと差錠とを固定接点ホルダーの中に確実に同時に挿入するための連動手段と、接続段階の終了時には、慣性力により、コネクターのロックを確実にするための連動解除手段とを有することを特徴とする。
【０００８】
その他の特徴は以下の通りである。
・連動手段を構成するのは、可動接点ホルダーのための突起と差錠のためのスリットであること、
・蹴爪状突起の外表面は鈍角の二面体を成しており、その二面体を構成する二面は、挿入運動の間、それぞれ、固定接点ホルダーの第四支持面とスリットと協働することにより、可動接点ホルダーの横方向の動きと、差錠と可動接点ホルダーとの連動解除が確実に行われるようにすること、
・固定接点ホルダーは、固定電気接点をもつ基礎部分と、内壁の縁が内側に傾斜して、可動接点ホルダーの挿入を導くようになっている、ほぼ管状の上部分で構成されていること、
・固定接点ホルダーの後部内壁と前部内壁にはそれぞれ第一支持面と第二支持面とがあり、それにより、差錠が接続段階で確実に導かれるようにしていること、
・固定接点ホルダーの前部内壁には、可動接点ホルダーの第一窪みと協働する第三支持面があり、それにより、可動接点ホルダーの横方向の動きが確実に行えるようになっており、
・固定接点ホルダーの基礎部分にある、一つの指状突起が、可動接点ホルダーの第二窪みと協働することにより、可動接点ホルダーの横方向の動きが確実に行えること、
・可動接点ホルダーにある肘の内側に窪みの中には、電気接点のための分流器が設置されていること、
・差錠には、コネクターをロックする段階で分流器を電気接点から分離させるのに適した舌状突起があること。
【０００９】
本発明はまた、固定接点ホルダーと、可動接点ホルダーと、差錠とがある電気コネクターを接続しロックする方法をも対象とするものであり、以下の手順からなることを特徴とするものである。
・差錠と可動接点ホルダーとを連動し、それにより一つの組立部品を形成し、
・前記組立部品を軸方向の動きで固定接点ホルダーの中に挿入し、
・機械的手段により、その軸方向の挿入の動きに、横方向の動きを重ね合わせて接続表面を清掃し、
・その横方向の動きにより、差錠と可動接点ホルダーの連動解除を開始し、それにより、慣性力で、一方では、可動接点ホルダーの接続が固定接点ホルダーで確実に終了するようにし、他方では、差錠による軸方向の動きが確実に続行されるようにし、
・差錠を固定接点ホルダーにラチェット機構で引っかけることにより、コネクターをロックする。
【発明を実施するための最良の形態】
【００１０】
その他の特徴は、本発明によるコネクターの実施例の添付図面を参照しつつ、以下の説明を読むことにより明らかになる。
・図１は、コネクターの平面図である。
・図２は、図１の直線ＡＡに沿って切断した断面図で、ロックされた状態でのコネクター全体を示している。
・図３は、図１の直線ＢＢに沿って切断した断面図で、接続段階が開始される時点でのコネクター全体を示している。
・図４は、図１の直線ＣＣに沿って切断した断面図で、接続段階が開始される時点でのコネクター全体を示している。
・図５は、図１の直線ＤＤに沿って切断した断面図で、接続段階が開始される時点での差錠を示している。
・図６と図７は、それぞれ図４と図５に類似の図で、接続が行われている段階を示している。
・図８と図９は、それぞれ図６と図７に類似の図で、接続段階が終了した時点を示している。
・図１０と図１１は、それぞれ図８と図９に類似の図で、分流器を外した後の状態を示している。
・図１２は、本発明のコネクターをプリント回路に伝導体の束を結合させるための一つの実施例の、接続前の後方全体図である。
・図１３は、図１２の固定接点ホルダーの斜視図であり、プリント回路に設置した状態を示している。
・図１４は、接続終了時の図１２のコネクターを示している。
【００１１】
図面において、本発明のコネクターは、圧接電気接点とコネクターの可動部分の電気接点を同じ電位に維持するための分流器の他に、主には、三つの機械部品を有している。これらの三つの機械部品とは、固定接点ホルダー１と、可動接点ホルダー２と差錠３である。
【００１２】
固定接点ホルダー１は、形はほぼ平行六面体の中空の胴体の外観を呈し、固定電気接点をもつ基礎部分４と、可動接点ホルダー２と差錠３を受け入れるようになっているほぼ管状の上部分５とを備えている。可動接点ホルダー２を導く傾斜路を構成するために固定接点ホルダー１の上部分５の開口部の縁６は内側に傾斜している。
【００１３】
固定接点ホルダー１の後部内壁７では、縁６が接続段階の終了時点の可動接点ホルダー２を抑えておくリブを構成している。
【００１４】
固定接点ホルダー１の側方内壁８、９では、縁６がロック段階の終了時点の差錠３を抑えておくリブを構成している。
【００１５】
側方内壁８、９の近傍（図５の切断線ＤＤ）では、固定接点ホルダー１の上部分５は、後部内壁７では、第一支持面１０を備えた輪郭を呈し、内壁はその第一支持面１０の上の傾斜した縁６とほぼ同じ厚みであり、そして、下に行くともっと薄くなっており、そして前部内壁１１では、第二支持面１２を備えた輪郭を呈し、内壁の厚みは、第二支持面１２の上の傾斜した縁６とほぼ同じ厚みであり、下に行くともっと厚くなっている。前部内壁１１の第二支持面１２は、上部の三分の一あたりで、傾斜した縁６と固定接点の平面１３との間に位置しているが、後部内壁７の第一支持面１０は、傾斜した縁６と固定接点の平面１３との間の空間に含まれる下から三分の一あたりに位置している。
【００１６】
切断線ＣＣの平面図（図４）では、固定接点ホルダー１の後部内壁７は、均一に薄くなっており、傾斜した縁６との関係では後退していて、それにより、その傾斜した縁６の下に、可動接点ホルダー２に歯止めを掛ける刻目１４が出来ている。前部内壁１１には、固定接点の平面１３の上に、第三支持面１５を呈し、その内壁１１は、第三支持面１５の上では薄くなっており、下では更に厚くなっている。
【００１７】
切断線ＢＢの平面図（図３）では、固定接点ホルダー１には、固定接点の平面１３の上で、盛り上がった形で固定接点の後に指状突起１６を呈しており、そして前部内壁１１では傾斜した縁６の真下に、第四支持面１７を呈しており、その内壁はその第四支持面１７の下では更に厚くなっている。
【００１８】
基礎部分４に配置されている固定電気接点１８は、固定接点の平面１３に垂直である。そのような接点１８は好ましくは圧接式のもの、つまり、それらの接点の固定接点電極は平面１３の上に突き出ており、可動接点を押しつけた時に伸縮して移動するのに適したものである。
【００１９】
可動接点ホルダー２は全体的な形が平行六面体になっている。好ましくは、固定電気接点１８を押さえつけるのに適している圧接式の可動電気接点１９を有している。これらの接点１９は、可動接点ホルダー２の中央部に収納され、その可動接点ホルダー２の下面２０の下に突き出ている。
【００２０】
可動接点ホルダー２は、固定接点ホルダー１の上部分５の中に導入され、歯止めを掛ける刻目１４を乗り越えた後、後部内壁７に向かって移動するようにできている（図４）。そのため、後部内壁２１は、その下の部分に第一面取部２２を呈し、該面取部は、固定接点ホルダー１の後部内壁７の傾斜した縁６と協働して、可動接点ホルダー２の心出しと固定接点ホルダー１の中への導入を容易にするようにできている。同様に、その可動接点ホルダー２の前部内壁２３には、下の部分に第二面取部２４を呈し（図３）、該面取部は、固定接点ホルダー１の前部内壁１１の傾斜した縁６と協働するようにできている。
【００２１】
上の部分（図４）では、その可動接点ホルダー２の後部内壁２１には、丸みを帯びている、固定接点ホルダー１の歯止めを掛ける刻目１４と協働するようにできている第５支持面２５がある。
【００２２】
切断線ＣＣの平面図では（図４）、可動接点ホルダー２の前部内壁２３には、輪郭が曲線の第一窪み２６を呈し、該窪みは、固定接点ホルダー１の第三支持面１５と協働することにより、その可動接点ホルダー２の後方への移動を確実に行えるようになっている。
【００２３】
可動接点ホルダー２の肘の内側の窪み２７（図６）の中に配置された分流器２８の形状は、伸縮性をもつ変形可能な薄板のようになっていて、その下の縁は、撓んでいて、コネクターがロックされていない時には、可動電気接点１９と接触する。
【００２４】
切断線ＢＢに対応する中央部分では（図３）、可動接点ホルダー２は、下の部分に、郭が曲線の第二窪み２９を呈し、該窪みは、固定接点ホルダー１の指状突起１６と協働することにより、可動接点ホルダー２の後方への移動を確実に行えるようになっている。
【００２５】
前の部分では、可動接点ホルダー２は、そのコネクターの長手軸に対して外側に傾斜した腕３０をもっており、この腕３０は、下面２０の近くで、可動接点ホルダー２の下の部分と連動している。上の辺りに位置しているその自由端では、腕３０は、蹴爪状突起３１をもっており、それは、曲線的な輪郭３２によって外に向かって突き出ている。
【００２６】
この蹴爪状突起３１は、外側に向かって二つの平面３３と３４からなる、鈍角の二面体の形状の表面を呈している、。
【００２７】
下面３３は、固定接点ホルダー１の第四支持面１７と協働できるようになっており、そして、上面３４は、可動接点ホルダー２の後方への移動に付いていけるよう差錠３と協働するのに適している。
【００２８】
差錠３は、一枚の中央シャッター３５と、二枚の両側のシャッター３６とシャッター３７の、三枚のシャッターで構成された部品である。
【００２９】
中央のシャッター３５は、固定接点ホルダー１の前部内壁１１と可動接点ホルダー２との間に挿入される。その中央の区域（図３）においては、可動接点ホルダー２を固定接点ホルダー１の中に挿入する前に蹴爪状突起３１を受け入れるのに適したスリット３８を呈する。
【００３０】
両側のシャッター３６とシャッター３７はそれぞれ、固定接点ホルダー１の両側の内壁８と９と可動接点ホルダー２の間に挿入されている（図２）。それらの下の部分では、面取部３９と４０を呈し、それにより、固定接点ホルダー１の中に挿入する時に、可動接点ホルダー２の心出しをしやすくなるようにしている。それぞれの上の部分では、上の方に開いた空間で隔てられた二つの内壁で構成されていて、それにより、外壁４１と外壁４２のそれぞれが伸縮性をもって変形できるようになっている。外壁４１と外壁４２のそれぞれには、外側の刻目４３と刻目４４を呈し、そのそれぞれが、固定接点ホルダー１のそれぞれ対応する両側の内壁８、９の傾斜した縁６と協働するのに適しており、それにより、コネクターを接続する位置にロックできるようになっている。それらの内面では、両側のシャッター３６とシャッター３７のそれぞれに、可動接点ホルダー２の外面の上に配置された対応する刻目と協働する刻目（図２）を呈し、それにより、可動接点ホルダー２を固定接点ホルダー１の中に確実に挿入できるようになっている。
【００３１】
両側のシャッター３６とシャッター３７の輪郭は、固定接点ホルダー１の前部内壁１１と後部内壁７との間に挿入できるように多角形となっており、そのそれぞれに第二支持面面１２と第一支持面１０を有しており、それぞれの支持面において厚みに変化がある。
【００３２】
このようにして、シャッター３６の上の部分は直角台形で、上縁４５は図５では水平であり、前縁４６は垂直、後縁４７は垂直で前縁４６よりも長い。前縁４６と後縁４７は、後に向かって斜めになった切片４８、４９のそれぞれを、下の方に向かってそれぞれ延ばしている。二つの切片４８と切片４９は、互いにほぼ等しく平行である。切片４８の延長部分である右切片５０は、切片４９に区切りをつけるリブ５１の高さまで伸びる前縁４６と平行である。つぎに、二つの斜めの切片５２と切片５３は、シャッター３６の水平な下の縁５４に向かって収束する。
【００３３】
切断線ＤＤの平面図で固定接点ホルダー１の前部内壁１１と後部内壁７との間の最短距離は、コネクターをロックした後のシャッター３６の上縁４５の長さに等しい（図１１）。それは接続開始時のリブ５１と右切片５０との間の距離に等しい（図５）。接続を行っている段階では、後に向かって斜めになった二つの切片４８と切片４９は、第二持面１２と第一支持面１０のリブにそれぞれ従っており、それにより、差錠３が後に向かって移動し、従って、可動接点ホルダー２がそのように移動できることも確保している。
【００３４】
切断線ＣＣと直角をなして、差錠３には舌状突起５５をもっており、該突起は、コネクターをロックする段階で（図１０）、分流器２８を可動接点ホルダー２の電気接点から分離させるためのものである。
【００３５】
コネクターの働きを分析すると以下のようになる。
【００３６】
固定接点ホルダー１がしかるべき位置にあると、例えば手動で、可動接点ホルダー２と差錠３とからなる組立部品を姿が見えるようにし、固定接点ホルダー１の上部にある開口部に近づける。面取部２２、２４、３９、４０は、傾斜した縁６と協働して可動接点ホルダー２を固定接点ホルダー１の中に挿入するのを導く。つぎに斜めの切片５２が第二支持面１２の上をスライドして、リブ５１が後部内壁７に届くようになるまで、シャッター３６を前部内壁１１と後部内壁７との間に導く。
【００３７】
接続を開始する段階では（図４および図５）、シャッター３６の誘導は、右切片５０を第二支持面１２の下の前部内壁１１に方に押しつけ、リブ５１を後部内壁７に押しつけることにより行う。その一方では、可動接点ホルダー２の後部内壁２１が傾斜した縁６の上をスライドし、差錠３は、固定接点ホルダー１の上部分５の前部内壁に向かってスライドする。
【００３８】
接続段階（図６および図７）では、斜めの切片４８、４９はそれぞれ第二支持面１２と第一支持面１０のリブの上でスライドする。その結果生じる移動は、可動接点ホルダー２の後方に向かうものであり、それが、例えば手動で差錠３に加える圧力から生じる下降運動と組み合わされる。それと同時に、第一窪み２６が第三支持面１５（図６）と協働し、第二窪み２９が指状突起１６（図３）と協働することにより、可動接点ホルダー２が後方に向かって移動するように応力を加える。
【００３９】
この後方に向かっての移動は、電気接点が接している時には、接点表面が確実に清掃されるようにしている。差錠３に圧力を加え続け、可動接点ホルダー２が後方に向かって相関的に移動することにより、（図３のように）確実に、蹴爪状突起３１が少しずつ後退し、第四支持面１７でくい止められているのが解除されるようになる。差錠３を通して伝わる圧力下で、そして、第四支持面１７から作用する反動が消滅することにより、可動接点ホルダー２は下降し後退する。従って、蹴爪状突起３１の下の平面３３は、第四支持面１７の上でスライドし、可動接点ホルダー２の後退を増大させる。
【００４０】
このように後退することより、蹴爪状突起３１が差錠３のスリット３８の中に後退する。上の平面３４がそのスリット３８から出始めると、それにより、可動接点ホルダー２から差錠３の連動が解除される。差錠３は下降運動を続行しつつ、上の平面３４をスライドし、可動接点ホルダー２を後方に向かって押し戻す。差錠３と可動接点ホルダー２との連動が解除されることにより、慣性力が発生し、それにより、コネクターがロックされるまで、確実に接続作業が達成されるようにする。可動接点ホルダー２は固定接点ホルダー１の後部内壁７に向かって下降し後退する運動を達成し、丸みを帯びた第五支持面２５によって、可動接点ホルダー２の後の部分が、歯止めとなる刻目１４の下に挿入される。
【００４１】
接続が終了する段階（図８および図９）では、可動接点ホルダー２の運動が終り、歯止めとなる刻目１４が確実に、可動接点ホルダー２を維持し、電気接点の圧接応力を確保する。このような配置により、接続の維持を確保し、寸法に従って組立直す際の部品の数を減らすことができる。シャッター３６の前縁４６は、固定接点ホルダー１の前部内壁１１を第二支持面１２の下の向かって押し下げ、シャッター３６の後縁４７は、固定接点ホルダー１の後部内壁７を第一支持面１０の上に押し上げる。
【００４２】
ロックする段階（図１０、図１１および図２）では、そして、常に慣性力による差錠３のみの下降運動は、両側のシャッター３６とシャッター３７の、外壁４１と外壁４２の刻目４３と刻目４４がそれぞれ固定接点ホルダー１の傾斜した縁６を乗り越えて、そこにロックされる位置に来るまで続行される。この最後の下降運動の間に、差錠３は、分流器２８を持ち上げる舌状突起５５を駆動し、電気接点の分流が確実に止まるようにする。
【００４３】
コネクターのロックを外すのは、両側のシャッター３６、３７の外壁４１、外壁４２に手動で圧力を加えることにより、それらを互いに接近させ、傾斜した縁６から刻目４３、４４を解放することによって行われる。その際、差錠３は手動で引っ込められる。その引き抜き運動の間、一方では電気接点において所定の位置に復帰する分流器２８を解放し、他方では、蹴爪状突起３１との連動を回復して、可動接点ホルダー２の引き抜き運動を駆動する。
【００４４】
このようにして、差錠３と可動接点ホルダー２の最初の連動により、可動接点ホルダー２が固定接点ホルダー１の中に確実に正しく接続されることになり、つぎに、差錠３と可動接点ホルダー２の連動が解除された後、慣性力で続行される同じ運動の間に、コネクターが所定の位置で確実にロックされることになる。
【００４５】
本発明に従ったコネクターは、具体的な実施態様において説明されたが、それは限定する趣旨のものでは全くなく、技術的に同等のものは本発明の枠内にあるものである。
【００４６】
図１２から図１４の実施例においては、固定接点ホルダー１の高さには制限がある。実際、固定接点の平面１３はプリント回路５６の平面であり、固定接点ホルダー１の本体はプリント回路５６の支えの上に固定されている。
【００４７】
差錠３の下降運動はプリント回路の平面の下にまで及んでいくことはできない。ロックを掛けることを、図１から図１１のコネクターについての条件と同じ条件で進行させるには、差錠３と協働する固定接点ホルダー１の構成要素は上の辺りではみ出すことになる。つまり、ロックの運動原理は、図１から図１１で説明された例におけるものと同様である。
【００４８】
本発明はまた、固定接点ホルダー（１）と、可動接点ホルダー（２）と、差錠（３）とがある電気コネクターを接続しロックする方法をも対象としており、その特徴は、以下のような手順からなる。
・差錠３と可動接点ホルダー２とを連動し、それにより一つの組立部品を形成し、
・前記組立部品を軸方向の動きで固定接点ホルダー１の中に挿入し、
・機械的手段により、その軸方向の挿入の動きに、横方向の動きを重ね合わせて、接続表面を清掃し、
・その横方向の動きにより、差錠３と可動接点ホルダー２の連結解除を開始し、それにより、慣性力で、一方では、可動接点ホルダー２の接続が固定接点ホルダー１の上で確実に終了するようにし、他方では、差錠による軸方向の動きが確実に続行されるようにし、
・差錠を固定接点ホルダー１の上にラチェット機構で引っかけることにより、コネクターをロックする。
【図面の簡単な説明】
【００４９】
【図１】コネクターの平面図
【図２】図１の直線ＡＡに沿って切断した断面図で、ロックされた状態でのコネクター全体を示す図
【図３】図１の直線ＢＢに沿って切断した断面図で、接続段階が開始される時点でのコネクター全体を示す図
【図４】図１の直線ＢＢに沿って切断した断面図で、接続段階が開始される時点でのコネクター全体を示す図
【図５】図１の直線ＤＤに沿って切断した断面図で、接続段階が開始される時点での差錠を示す図
【図６】図４に類似の図で、接続が行われている段階を示す図
【図７】図５に類似の図で、接続が行われている段階を示す図
【図８】図６に類似の図で、接続段階が終了した時点を示す図
【図９】図７に類似の図で、接続段階が終了した時点を示す図
【図１０】図８に類似の図で、分流器を外した後の状態を示す図
【図１１】図９に類似の図で、分流器を外した後の状態を示す図
【図１２】本発明のコネクターをプリント回路の上に伝導体の束を結合させる為の一つの実施例の、接続前の後方全体図
【図１３】図１２の固定接点ホルダーの斜視図であり、プリント回路に設置した状態を示す図
【図１４】接続終了時の図１２のコネクターを示す図
【符号の説明】
【００５０】
１  固定接点ホルダー
２  可動接点ホルダー
３  差錠
４  基礎部分
５  上部分
６  縁
７  後部内壁
８  内壁
９  内壁
１０  第一支持面
１１  前部内壁
１２  第二支持面
１３  平面
１４  刻目
１５  第三支持面
１６  指状突起
１７  第四支持面
１８  固定電気接点
１９  可動電気接点
２０  下面
２１  後部内壁
２２  第一面取部
２３  前部内壁
２４  第二面取部
２５  第五支持面
２６  第一窪み
２７  窪み
２８  分流器
２９  第二窪み
３０  腕
３１  蹴爪状突起
３２  輪郭
３８  スリット
３３  平面
３４  平面
３５  シャッター
３６  シャッター
３７  シャッター
３９  面取部
４０  面取部
４１  外壁
４２  外壁
４３  刻目
４４  刻目
４５  上縁
４６  前縁
４７  後縁
４８  切片
４９  切片
５０  右切片
５１  リブ
５２  切片
５３  切片
５４  縁
５５  舌状突起
【図１】
2007538362.tif 000003
【図２】
2007538362.tif 000004
【図３】
2007538362.tif 000005
【図４】
2007538362.tif 000006
【図５】
2007538362.tif 000007
【図６】
2007538362.tif 000008
【図７】
2007538362.tif 000009
【図８】
2007538362.tif 000010
【図９】
2007538362.tif 000011
【図１０】
2007538362.tif 000012
【図１１】
2007538362.tif 000013
【図１２】
2007538362.tif 000014
【図１３】
2007538362.tif 000015
【図１４】
2007538362.tif 000016
【手続補正書】
【提出日】平成18年4月24日(2006.4.24)
【手続補正１】
【補正対象書類名】特許請求の範囲
【補正対象項目名】全文
【補正方法】変更
【補正の内容】
【特許請求の範囲】
【請求項１】
固定接点ホルダー（１）と、可動接点ホルダー（２）と、差錠（３）とがある慣性ロック式自動心出しコネクターであり、該コネクターにおける、可動接点ホルダー（２）と差錠（３）が可動接点ホルダー（２）と差錠（３）とを固定接点ホルダー（１）の中に確実に同時に挿入するための連動手段と、接続段階の終了時には、慣性力により、コネクターのロックを確実にする為の連動解除手段とを有し、該連動手段を構成するのは、可動接点ホルダー（２）のための蹴爪状突起（３１）と、差錠（３）のためのスリット（３８）であることを特徴とし、また、蹴爪状突起（３１）の外表面は鈍角の二面体を成しており、その二面体を構成する二つの平面（３３、３４）は、挿入運動の間、それぞれ、固定接点ホルダー（１）の第四支持面（１７）とスリット（３８）と協働することにより、可動接点ホルダー（２）の横方向の動きと差錠（３）と可動接点ホルダー（２）との連動解除が確実に行われるようにすることを特徴とする、慣性ロック式自動心出しコネクター。
【請求項２】
固定接点ホルダー（１）を構成するのは、固定電気接点をもつ基礎部分（４）と、内壁（７、８、９、１１）の縁（６）が内側に傾斜して可動接点ホルダー（２）の挿入を導くようになっている、ほぼ管状の上部分（５）であることを特徴とする、前記請求項１に記載のコネクター。
【請求項３】
固定接点ホルダー（１）の後部内壁（７）と前部内壁（１１）にはそれぞれ第一支持面（１０）と第二支持面（１２）とがあり、それにより、差錠（３）が接続段階で確実に導かれることを特徴とする、前記請求項２に記載のコネクター。
【請求項４】
固定接点ホルダー（１）の前部内壁（１１）には、可動接点ホルダー（２）の第一の窪み（２６）と協働する第三支持面（１５）があり、それにより、可動接点ホルダー（２）の横方向の動きが確実に行えることを特徴とする、前記請求項２に記載のコネクター。
【請求項５】
固定接点ホルダー（１）の基礎部分（４）にある指状突起（１６）が、可動接点ホルダー（２）の第二窪み（２９）と協働することにより、可動接点ホルダー（２）の横方向の動きが確実に行えることを特徴とする、前記請求項２に記載のコネクター。
【請求項６】
可動接点ホルダー（２）にある肘の内側の窪み（２７）の中には、電気接点の為の分流器（２８）が設置されていることを特徴とする、前記請求項１に記載のコネクター。
【請求項７】
差錠（３）には、コネクターをロックする段階で分流器（２８）を電気接点から分離させるのに適した舌状突起（５５）があることを特徴とする、前記請求項８に記載のコネクター。
【請求項８】
固定接点ホルダー（１）と、可動接点ホルダー（２）と、差錠（３）とがある電気コネクターを接続しロックする方法であり、以下の手順からなることを特徴とする方法。
・差錠（３）と可動接点ホルダー（２）とを連動し、それにより一つの組立部品を形成し、
・前記組立部品を軸方向の動きで固定接点ホルダー（１）の中に挿入し、
・機械的手段により、その軸方向の挿入の動きに、横方向の動きを重ね合わせて、接続表面を清掃し、
・その横方向の動きにより、差錠（３）と可動接点ホルダー（２）の連動解除を開始し、  それにより、慣性力で、一方では、可動接点ホルダー（２）の接続が固定接点ホルダー（１）で確実に終了するようにし、他方では、差錠による軸方向の動きが確実に続行されるようにし、
・差錠を固定接点ホルダー（１）の上にラチェット機構で引っかけることにより、コネクターをロックする。
【請求項９】
束となった２本の伝導体へ結合することへの、前記請求項１から７のいずれか一つに記載のコネクターの応用。
【請求項１０】
プリント回路に束となった伝導体を結合することへの、前記請求項１から７のいずれか一つに記載のコネクターの応用。
【国際調査報告】
2007538362.tif 000017
2007538362.tif 000018
2007538362.tif 000019
2007538362.tif 000020
2007538362.tif 000021
2007538362.tif 000022